(57)【要約】【課題】  違和感の少ない音声収録を行うことができる撮像装置を提供する。【解決手段】  集音手段により得られた音声信号に対応する複数チャンネルの音声信号を、姿勢に基づいて複数チャンネルの音声信号のチャンネルを変更し、取得手段により得られた音声信号に対応する複数チャンネルの音声信号を、姿勢および外部の集音手段を示す識別子に基づいて、前記複数チャンネルの音声信号のチャンネルを変更する。【選択図】  図３
2015115669.tif 000002
【特許請求の範囲】
【請求項１】
撮像装置であって、
撮像手段と、
前記撮像装置の姿勢を検出する検出手段と、
前記撮像装置に内蔵された集音手段と、
外部の集音手段により得られた複数チャンネルの音声信号を取得する取得手段と、
前記集音手段により得られた音声信号に基づいて複数チャンネルの音声信号を生成する音声処理手段と、
前記音声処理手段により得られた音声信号を記録媒体に記録する記録手段と、
制御手段とを有し、
前記制御手段は、
前記集音手段により得られた音声信号に対応する複数チャンネルの音声信号を前記記録媒体に記録するときに、前記撮像装置の姿勢に基づいて、前記複数チャンネルの音声信号のチャンネルを変更し、
前記取得手段により得られた音声信号に対応する複数チャンネルの音声信号を前記記録媒体に記録するときに、前記撮像装置の姿勢および前記外部の集音手段を示す識別子に基づいて、前記複数チャンネルの音声信号のチャンネルを変更する、
ように前記音声処理手段を制御することを特徴とする撮像装置。
【請求項２】
前記制御手段は、
前記外部の集音手段を示す識別子が特定の識別子である場合には、前記撮像装置の姿勢に基づいて、複数チャンネルの音声信号のチャンネルを変更し、
前記外部の集音手段を示す識別子が特定の識別子でない場合には、前記撮像装置の姿勢に基づいて、複数チャンネルの音声信号のチャンネルを変更しない、
ように前記音声処理手段を制御することを特徴とする請求項１に記載の撮像装置。
【請求項３】
前記撮像手段により得られた画像データを、前記撮像装置の姿勢に基づいて、上下左右を反転させることを特徴とする請求項１または２に記載の撮像装置。
【発明の詳細な説明】
【技術分野】
【０００１】
本発明は、撮像装置に関する。
【背景技術】
【０００２】
従来、撮像装置として、被写体を撮像して得られた画像データと、マイクにより得られた音声データとを記録媒体に記録するデジタルカメラが知られている。これらの撮像装置では様々な姿勢で撮影が行われるのが一般的である。そのため、たとえば特許文献１のように、撮像装置の姿勢に応じて、複数のマイクにより得られた音声信号の処理を変更することにより、ステレオ間を維持した音声録音を行うことができるようにする技術が提案されている。
【先行技術文献】
【特許文献】
【０００３】
【特許文献１】特開２００６−１４８５６０号公報
【発明の概要】
【発明が解決しようとする課題】
【０００４】
しかしながら、特許文献１においては、外部マイクが装着された場合の処理について、全く考慮されていない。
【０００５】
そこで、本発明は、外部マイクによる集音を行った場合であっても違和感の少ない音声収録を行うことができる撮像装置を提供することを目的とする。
【課題を解決するための手段】
【０００６】
このような目的を達成するために、本発明の撮像装置は、撮像手段と、前記撮像装置の姿勢を検出する検出手段と、前記撮像装置に内蔵された集音手段と、外部の集音手段により得られた複数チャンネルの音声信号を取得する取得手段と、前記集音手段により得られた音声信号に基づいて複数チャンネルの音声信号を生成する音声処理手段と、前記音声処理手段により得られた音声信号を記録媒体に記録する記録手段と、制御手段とを有し、前記制御手段は、前記集音手段により得られた音声信号に対応する複数チャンネルの音声信号を前記記録媒体に記録するときに、前記撮像装置の姿勢に基づいて、前記複数チャンネルの音声信号のチャンネルを変更し、前記取得手段により得られた音声信号に対応する複数チャンネルの音声信号を前記記録媒体に記録するときに、前記撮像装置の姿勢および前記外部の集音手段を示す識別子に基づいて、前記複数チャンネルの音声信号のチャンネルを変更する、ように前記音声処理手段を制御することを特徴とする。
【発明の効果】
【０００７】
本発明によれば、違和感の少ない音声収録を行うことができる。
【図面の簡単な説明】
【０００８】
【図１】本実施例の撮像装置の構成を示す図。
【図２】本実施例の音声処理部の構成を示す図。
【図３】本実施例の撮像装置の動作を示すフロー図。
【発明を実施するための形態】
【０００９】
以下、図面を参照して本発明の実施例を詳細に説明するが、この発明は以下の実施の形態に限定されない。なお、以下の実施の形態は特許請求の範囲に係る発明を限定するものでなく、また実施の形態で説明されている特徴の組み合わせの全てが発明の解決手段に必須のものとは限らない。
【００１０】
なお、本実施例において説明される各機能ブロックは必ずしも個別のハードウェアである必要はない。すなわち、例えばいくつかの機能ブロックの機能は、１つのハードウェアにより実行されても良い。また、いくつかのハードウェアの連係動作により１つの機能ブロックの機能または、複数の機能ブロックの機能が実行されても良い。また、各機能ブロックの機能は、ＣＰＵがメモリ上に展開したコンピュータプログラムにより実行されても良い。
【００１１】
（実施例１）
本実施例では、撮像装置を例にとって説明するが、内蔵マイクを備え、外部マイクからの音声信号を取得することができる装置であればどのような装置でも良い。たとえば、携帯電話、スマートフォン、タブレット型情報端末、ノート型情報端末、コンピュータ等であってもよい。
【００１２】
本実施例の撮像装置は、撮像部、複数の内蔵マイク、複数の内蔵マイクにより集音されて得られた音声信号を処理する音声処理部、撮像装置の姿勢を検出する検出部を有する。また、外部マイクから複数チャンネルの音声信号を取得する取得部を有する。そして、音声処理部は、検出部により検出された撮像装置の姿勢に応じて、複数の内蔵マイクにより集音されて得られた音声信号の処理方法を切り替える。一方、取得部により得られた複数チャンネルの音声信号については、検出部により検出された撮像装置の姿勢に応じて、対応するチャンネルを変更しない。なお、外部マイクの種類が所定の種類の外部マイクである場合には、検出部により検出された撮像装置の姿勢に応じて、対応するチャンネルを変更する。
【００１３】
このような構成とすることで、本実施例の撮像装置は、違和感の少ない音声信号を収録することができる。以下、このような撮像装置について説明する。
【００１４】
＜全体構成＞
まず、図１を用いて、本実施例の撮像装置１００の構成を説明する。
【００１５】
本実施例の撮像装置１００は、図１に示すように、ＣＰＵ１０１と、ＲＡＭ１０２と、ＲＯＭ１０３と、操作部１０４とを有する。また、撮像装置１００は、撮像部１１０と、画像処理部１１１と、内蔵マイク１２０と、音声処理部１２１と、スピーカ１２２と、取得部１２３とを有する。また、撮像装置１００は、表示部１４０と、表示制御部１４１と、記録再生部１５０と、記録媒体１５１と、姿勢検出部１６０とを有する。なお、ＣＰＵは、Ｃｅｎｔｒａｌ  Ｐｒｏｃｅｓｓｉｎｇ  Ｕｎｉｔの略称である。ＲＡＭは、Ｒａｎｄｏｍ  Ａｃｃｅｓｓ  Ｍｅｍｏｒｙの略称である。ＲＯＭは、Ｒｅａｄ  Ｏｎｌｙ  Ｍｅｍｏｒｙの略称である。
【００１６】
本実施例の撮像装置１００において、ＣＰＵ１０１は、ＲＡＭ１０２をワークメモリとしてＲＯＭ１０３に記録された各種プログラムをＲＡＭ１０２に展開し、プログラムに応じて撮像装置１００の各ブロックを制御する。操作部１０４は、例えば、電源ボタン、記録ボタン、ズーム調整ボタン、オートフォーカスボタン、メニュー表示ボタン、モード切替スイッチ、決定ボタン等の各種操作を入力するスイッチ類を有する。また、カーソルキー、ポインティングデバイス、タッチパネル、ダイヤル等のどのようなタイプの操作子であってもよい。操作部１０４は、ユーザによりこれらのキーやボタン、タッチパネルが操作されるとＣＰＵ１０１に操作信号を送信する。操作部１０４の各操作部材は、表示部に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部に表示される。利用者は、表示部に表示されたメニュー画面と、上下左右の４方向ボタンやＳＥＴボタンとを用いて直感的に各種設定を行うことができる。なお、操作部１０４は、表示部に対する接触を検知可能なタッチパネルであってもよい。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１７】
撮像部１１０は、レンズにより取り込まれた被写体の光学像を、絞りにより光量を制御して、ＣＣＤセンサやＣＭＯＳセンサ等の撮像素子により画像信号に変換し、得られたアナログ画像信号をデジタル画像信号に変換して一時的にＲＡＭ１０２に記憶する。画像処理部１１１は、記録時にはＲＡＭ１０２に記憶された画像データを処理し、再生時には、後述の記録媒体１５１から読みだされた画像データを処理する。画像処理部１１１は、画像データのホワイトバランス調整、ゲイン調整、色強調処理等様々な処理を行う。画像処理部１１１は処理した画像データを、表示制御部１４１に送信したり、記録再生部１５０や通信部に送信したりする。
【００１８】
音声処理部１２１は、記録時には、内蔵マイク１２０により集音して得られた音声データを処理し、再生時には、後述の記録媒体１５１から読みだされた圧縮または非圧縮の音声データを処理する。たとえば、音声データのレベル調整処理、圧縮された音声データの伸張処理、音声データの圧縮処理等を行う。音声処理部１２１は、処理した音声データを、記録再生部１５０や通信部に送信したり、再生時にはスピーカ１２２に送信したりする。また、取得部１２３は、外部のマイクにより得られた複数チャンネルの音声信号を取得する音声端子やワイヤレス通信部で構成されている。音声処理部１２１は、取得部１２３で取得した複数チャンネルの音声信号に対しても処理をする。なお、内蔵マイク１２０は、たとえば、撮像装置１００のハウジング内に内蔵された複数の無指向性の音声を集音するマイクである。また、音声処理部１２１では音声圧縮方式として、たとえば、ＡＣ３、ＡＡＣ等の公知の一般的な音声圧縮方式を用いる。また、スピーカ１２２は、音声処理部により処理された音声を出力するスピーカである。
【００１９】
表示部１４０は、例えば、液晶表示デバイス、または有機ＥＬ表示デバイスなどからなり、表示制御部１４１の制御により画像を表示する。表示部１４０は、ＬＥＤディスプレイなど、ユーザに画像を提供することができればどのようなものであっても良い。表示制御部１４１では、画像処理部１１１により処理された画像データに基づいて、表示部１４０に画像を表示する。また、表示制御部１４１は、表示部１４０に表示するデジタル画像信号に基づく映像信号に対し、マトリクス変換、ブライト調整、コントラスト調整、ガンマ調整、クロマゲイン調整、シャープネス調整等の画像信号処理を行ってもよい。
【００２０】
記録再生部１５０は、記録時においては、画像処理部１１１により処理された画像データや音声データを記録媒体１５１に記録し、再生時においては、記録媒体１５１に記録された画像データや音声データを再生する。記録再生部１５０は、記録時においては、画像データや音声データとともに、撮影日や、圧縮に関する情報、撮像部１１０の設定等の各種情報を記録媒体１５１に書き込む。なお、記録再生部１５０は、画像データや音声データを記録媒体１５１に記録する際は、たとえばＦＡＴやｅｘＦＡＴ等のファイルフォーマットに適合した形でファイルとして記録媒体に記録する。また、記録媒体１５１は、撮像装置に内蔵された記録媒体でも、取外し可能な記録媒体でもよい。例えば、ハードディスク、光ディスク、光磁気ディスク、ＣＤ−Ｒ、ＤＶＤ−Ｒ、磁気テープ、不揮発性の半導体メモリ、フラッシュメモリ、などのあらゆる方式の記録媒体を含む。取り外し可能な記録媒体を用いる場合には、記録再生部１５０は、それらの取り外し可能な記録媒体を装着、排出するための機構を含む。
【００２１】
また、姿勢検出部１６０は、撮像装置１００の姿勢を検出するものであって、たとえば、ジャイロセンサ、角度センサ、などであるが、撮像装置１００の姿勢が少なくとも上下反転している状態であるかを判別できるセンサであればどのようなセンサであってもよい。撮像装置１００が第１の姿勢（正位置）であるとき、撮像装置１００の正面（被写体方向）から見て、内蔵マイクの第１のマイクは、内蔵マイクの第２のマイクよりも右側にある。一方、撮像装置１００が第２の姿勢（上下反転位置）であるとき、撮像装置１００の正面（被写体方向）から見て、内蔵マイクの第１のマイクは、内蔵マイクの第２のマイクよりも左側にある。姿勢検出部１６０は、少なくとも前述した第１の姿勢、第２の姿勢を検出（すなわち、撮像装置１００の本体が反転しているか否かを検出）できればよい。
【００２２】
ここで、画像処理部１１１、音声処理部１２１、表示制御部１４１、記録再生部１５０は、それぞれ、前述の各機能を実行するプログラムを搭載したマイクロコンピュータであってもよい。また、ＣＰＵ１０１がＲＯＭ１０３に記録された前述の処理を実行する為のプログラムをＲＡＭ１０２に展開して実行するようにしてもよい。
【００２３】
＜音声処理部１２１について＞
続いて、音声処理部１２１の構成及び動作について説明する。
【００２４】
音声処理部１２１は、内蔵マイク１２０および取得部１２３により得られた音声信号を処理する。音声処理部１２１では、内蔵マイク１２０により得られた音声信号については、ステレオ化処理を行い、複数チャンネルの音声を生成する。また、ＣＰＵ１０１の指示に応じて、ステレオ化処理により得られた複数チャンネルの音声信号または、取得部１２３により得られた複数チャンネルの音声信号の各チャンネルの音声をどのチャンネルとして出力するかを選択する。ＣＰＵ１０１は、姿勢検出部１６０により検出された姿勢に応じて、各チャンネルの音声をどのチャンネルとして出力するかを決定し、音声処理部１２１の選択部２４０を制御する。
【００２５】
図２は、音声処理部１２１の構成を示す図である。本実施例の音声処理部１２１は、セレクタ２１０、ＡＤ変換部２２０、ステレオ変換部２３０、選択部２４０を有する。セレクタ２１０は、内蔵マイク１２０により得られた音声信号または取得部１２３により得られた音声信号のいずれか、またはその両方をＡＤ変換部２２０に入力させる。ＣＰＵ１０１は、撮像装置１００の設定や、取得部１２３に外部マイクが接続されているか否かに応じて、セレクタ２１０を制御する。ＡＤ変換部２２０は、内蔵マイク１２０または取得部１２３により得られた音声信号をデジタル音声信号に変換する。当然、取得部１２３により入力された音声信号がデジタル音声信号であれば、変換は行わない。ステレオ変換部２３０は、内蔵マイク１２０により得られた複数の音声信号から複数チャンネルの音声信号を生成する。具体的には、内蔵マイク１２０が２つの無指向性のマイクにより得られた音声信号であれば、たとえば１ｋＨｚのステレオ感が強調されるように１ｋＨｚを中心に音声信号の位相をずらして複数のマイクにより得られた音声信号を加算する。このような処理によりステレオ感を強調した音声信号を生成することができる。本処理については公知の様々な手法があり、どのような処理を用いても構わない。このようにステレオ変換部２３０は複数チャンネルの音声信号を生成する。
【００２６】
次に、選択部２４０について説明する。選択部２４０は、ステレオ変換部２３０により得られた内蔵マイク１２０により得られた音声信号に基づく複数チャンネルの音声または、取得部１２３により得られた音声信号に対応する複数チャンネルの音声を取得する。たとえば内蔵マイクに対応する複数チャンネルの音声信号は、Ｌチャンネルの音声信号とＲチャンネルの音声信号である。選択部２４０は、ＣＰＵ１０１の制御により、ステレオ変換部２３０から入力されたＬチャンネルの音声信号をＬチャンネルの音声信号として記録するか、Ｒチャンネルの音声に切り替えて記録するかを選択する。同様に、ステレオ変換部２３０から入力されたＲチャンネルの音声信号をＬチャンネルの音声信号として記録するか、Ｒチャンネルの音声に切り替えて記録するかを選択する。
【００２７】
ＣＰＵ１０１は、以下の条件で選択部２４０を以下のように制御する。内蔵マイク１２０に対応する複数チャンネルの音声信号については、撮像装置１００が第１の姿勢（正位置）である場合に、Ｌチャンネルの音声信号は、Ｌチャンネルの音声信号として記録し、Ｒチャンネルの音声信号は、Ｒチャンネルの音声信号として記録する。一方、撮像装置１００が第２の姿勢（上下反転位置）である場合に、Ｌチャンネルの音声信号は、Ｒチャンネルの音声信号として記録し、Ｒチャンネルの音声信号は、Ｌチャンネルの音声信号として記録する。同様に、ＣＰＵ１０１の指示に応じて、取得部１２３により得られた複数チャンネルの音声信号についても、入力された複数チャンネルの音声信号をいずれのチャンネルの音声信号として記録するかを選択することができる。なお、選択部２４０によりチャンネルの選択が行われた後の音声信号は、記録再生部１５０に送信され、画像処理部１１１により処理された画像とともに記録媒体１５１に記録される。
【００２８】
ここで、第１の姿勢とは、撮像装置１００の下面が地面方向に向いている状態（すなわち重力方向で下向きにある状態）であり、内蔵マイク１２０の第１のマイクは左側、第２のマイクが右側になる姿勢である。また、第２の姿勢とは、撮像装置１００の下面が上空方向に向いている状態（すなわち重力方向で上向きにある状態）であり、内蔵マイク１２０の第１のマイクは右側、第２のマイクが左側になる姿勢である。そのため第１の姿勢からみると第２の姿勢においては、カメラがさかさまの状態であり、この状態では撮像装置１００では画像を反転して記録する。これに合わせて音声の記録についても処理が必要になる。ここで、本実施例の撮像装置１００における音声記録関連の制御について、図２および図３のフロー図を用いて説明する。図３のフローは、ＣＰＵ１０１の制御により実行されるものである。図３のフロー図は撮像装置１００が起動し、撮影モードに設定された時に実行されるものである。
【００２９】
（Ｓ３０１）
まず、撮像装置１００が撮影モードに設定されると、ＣＰＵ１０１は、撮像装置１００の各ブロックを撮影待機状態に移行させる。音声に関連するブロックとしては、内蔵マイク１２０、取得部１２３、音声処理部１２１、姿勢検出部１６０、記録再生部１５０を撮影待機状態に移行させる。
【００３０】
（Ｓ３０２）
次に、ＣＰＵ１０１は、電源ＯＦＦの指示が操作部１０４を介して入力されたか否かを判定し、電源ＯＦＦの指示が入力された場合は、図３の処理を終了させる。一方、電源ＯＦＦの指示が入力されていない場合には、処理をＳ３１１に移行させる。
【００３１】
（Ｓ３１１）
ＣＰＵ１０１は、Ｓ３０２で電源ＯＦＦの指示が入力されていないと判定した場合、姿勢検出部１６０の検出結果を取得し、撮像装置１００の姿勢を判定する。姿勢検出部１６０の検出結果から第１の姿勢（正位置）であると判定した場合は、処理をＳ３２１へ、第２の姿勢（上下反転位置）であると判定した場合は、処理をＳ３１２へ移す。
【００３２】
（Ｓ３１２）
ＣＰＵ１０１は、Ｓ３１１で、第２の姿勢であると判定した場合は、次に記録対象の音声が内蔵マイク１２０に対応する音声信号であるか、取得部１２３により得られた音声信号であるかを判定する。これは取得部１２３に対して、物理的またはワイヤレスで外部マイクが接続されているか否かに応じて判定する。物理的な接続判定とは、取得部１２３が音声入力端子である場合、音声入力端子に外部マイクからの音声信号を入力するための端子が接続されているか否かを判定することである。ワイヤレスの接続判定とは、外部マイクからの音声信号のワイヤレス入力を受け付けるか否かの設定に基づいて、受け付ける設定になっている場合を接続されているものとして判定し、受け付けない設定になっている場合を接続されていないものとして判定することである。外部マイクが接続されている場合は、処理をＳ３１３へ、外部マイクが接続されていない場合には、Ｓ３２２へ処理を移す。
【００３３】
（Ｓ３１３）
ＣＰＵ１０１は、Ｓ３１２で外部マイクが接続されていると判定した場合、外部マイクの識別子を確認する。識別子が特定の識別子（特定のＩＤ）を有すると判定した場合は、処理をＳ３２３へ、識別子が特定の識別子（特定のＩＤ）を有さないと判定した場合は、処理をＳ３２４へ移す。
【００３４】
（Ｓ３２１）〜（Ｓ３２４）
次に、記録音声の選択についてまとめて説明する。ＣＰＵ１０１は、Ｓ３１１からＳ３１３の判定処理により、以下の４つのパターンに処理を分岐させた。すなわち、「撮像装置１００の姿勢が第１の姿勢である場合」（Ｓ３２１）。「撮像装置の姿勢が第２の姿勢である場合であって、外部マイクが接続されていない場合」（Ｓ３２２）。「撮像装置の姿勢が第２の姿勢である場合であって、外部マイクが接続されている場合であって、外部マイクの識別子が特定の識別子である場合」（Ｓ３２３）。「撮像装置の姿勢が第２の姿勢である場合であって、外部マイクが接続されている場合であって、外部マイクの識別子が特定の識別子でない場合」（Ｓ３２４）。
【００３５】
（Ｓ３２１）反転なし
Ｓ３２１の場合には、撮像装置１００の姿勢が第１の姿勢（正位置）であるため、内蔵マイク１２０に対応する音声信号または取得部１２３により得られた音声信号を記録する場合、どちらの場合であっても複数チャンネルの音声信号のチャンネルの反転をさせない。すなわち、Ｓ３２１では、ＣＰＵ１０１は、ステレオ変換部２３０により得られた複数チャンネルの音声信号のＬチャンネルの音声は、Ｌチャンネルの音声として記録し、Ｒチャンネルの音声は、Ｒチャンネルの音声として記録するように選択部２４０を制御する。同様に、ＣＰＵ１０１は、取得部１２３により得られた複数チャンネルの音声信号のＬチャンネルの音声は、Ｌチャンネルの音声として記録し、Ｒチャンネルの音声は、Ｒチャンネルの音声として記録するように選択部２４０を制御する。
【００３６】
（Ｓ３２２）反転あり
Ｓ３２２の場合には、撮像装置１００の姿勢が第２の姿勢（上下反転位置）であり、内蔵マイク１２０に対応する音声信号を記録する場合である。ここでは、撮像装置１００の姿勢が第２の姿勢（上下反転位置）であるため、内蔵マイク１２０の複数のマイクの左右が入れ替わることになる。ＣＰＵ１０１は、この場合、内蔵マイク１２０に対応する複数チャンネルの音声信号のチャンネルの反転をさせる。すなわち、Ｓ３２２では、ＣＰＵ１０１は、ステレオ変換部２３０により得られた複数チャンネルの音声信号のＬチャンネルの音声は、Ｒチャンネルの音声として記録し、Ｒチャンネルの音声は、Ｌチャンネルの音声として記録するように選択部２４０を制御する。
【００３７】
（Ｓ３２３）反転あり
Ｓ３２３の場合には、撮像装置の姿勢が第２の姿勢であって、外部マイクが接続されている場合であって、外部マイクの識別子が特定の識別子である場合である。ここでは、ＣＰＵ１０１は、取得部１２３により得られた複数チャンネルの音声信号のＬチャンネルの音声は、Ｒチャンネルの音声として記録し、Ｒチャンネルの音声は、Ｌチャンネルの音声として記録するように選択部２４０を制御する。
【００３８】
（Ｓ３２４）反転なし
Ｓ３２４の場合には、撮像装置の姿勢が第２の姿勢であって、外部マイクが接続されている場合であって、外部マイクの識別子が特定の識別子でない場合である。ここでは、ＣＰＵ１０１は、取得部１２３により得られた複数チャンネルの音声信号のＬチャンネルの音声は、Ｌチャンネルの音声として記録し、Ｒチャンネルの音声は、Ｒチャンネルの音声として記録するように選択部２４０を制御する。
【００３９】
ここで、Ｓ３２３とＳ３２４の場合を比較すると、外部マイクの識別子が特定の識別子である場合と特定の識別子でない場合とで、取得部１２３により得られた複数チャンネルの音声信号のチャンネルの反転を行うか否かが異なる。本実施例では、特定の識別子を有する外部マイクは、装置本体に取り付け可能なマイクである。そのため、装置本体の上下反転が行われると、外部マイクにおいても内蔵マイク１２０と同様に左右反転してしまうことになる。そこで、本実施例においては、特定の識別子を有する外部マイクについては、Ｓ３２３のように取得部１２３により得られた複数チャンネルの音声信号のチャンネルの反転を行う。一方、特定の識別子を有する外部マイクでない場合は、装置本体に取り付け可能なマイクではない。そのため装置本体の上下反転が行われても、外部マイクの左右が反転してしまうとは限らず、むしろユーザが手持ち状態で使用していると想定される。そのため、特定の識別子を有する外部マイクでない場合には、取得部１２３により得られた複数チャンネルの音声信号のチャンネルの反転を行わない。
【００４０】
以上のようにして撮像装置１００の姿勢、外部マイクの接続の有無、外部マイクの識別子に応じて、音声処理の設定を終えると、次にＣＰＵ１０１は、Ｓ３３１の判定を行う。
【００４１】
（Ｓ３３１）
ＣＰＵ１０１は、撮像開始の指示が操作部１０４を介して入力されたか否かを判定する。撮影開始の指示が入力されていないと判定すると、ＣＰＵ１０１は、処理をＳ３０２に移し、撮影開始の指示が入力されていると判定すると、ＣＰＵ１０１は、処理をＳ３３２に移す。
【００４２】
（Ｓ３３２）
ＣＰＵ１０１は、Ｓ３３１で、撮影開始の指示が入力されていると判定すると、Ｓ３２１からＳ３２４のいずれかの設定により、選択部２４０により選択された音声信号を記録媒体１５１に記録するように記録再生部１５０を制御する。なお、このとき、撮像部１１０により撮像され画像処理部１１１で処理された画像データも記録媒体１５１に一緒に記録していく。
【００４３】
（Ｓ３３３）
次にＣＰＵ１０１は、撮影終了の指示が操作部１０４を介して入力されたか否かを判定する。撮影終了の指示が入力されていないと判定すると、ＣＰＵ１０１は、処理をＳ３３２に移し、撮影開始の指示が入力されていると判定すると、ＣＰＵ１０１は、処理をＳ０１に移す。
【００４４】
以上のように、本実施例の撮像装置１００は、装置本体の姿勢、外部マイクの接続の有無、外部マイクの識別子に応じて、記録音声に対する音声処理を切り替える。これまで説明したように、本実施例の撮像装置１００は、装置本体が第１の姿勢である場合には、音声の左右反転処理を行わない。第２の姿勢である場合には、内蔵マイク１２０による音声を記録しているときは、音声の左右反転処理を行う。また、外部マイクから取得部１２３に入力された音声を記録している場合であって、装置本体が第２の姿勢である場合であって、外部マイクの識別子が特定の識別子である場合、音声の左右反転処理を行う。また、外部マイクから取得部１２３に入力された音声を記録している場合であって、装置本体が第２の姿勢である場合であって、外部マイクの識別子が特定の識別子でない場合、音声の左右反転処理を行わない。なお、外部マイクの識別子とは外部マイクの種類を示すものであるため、「外部マイクの種類が特定の識別子」とは「外部マイクの特定の種類」とも読みかえてもよい。このような動作により本実施例の撮像装置は、違和感の少ない音声収録を行うことができる。
【００４５】
内蔵マイク１２０に対応する複数チャンネルの音声信号と、取得部１２３により得られた複数チャンネルの音声信号とを合成して記録を行ってもよい。この場合、取得部１２３により取得された音声についてはＳ３２３、Ｓ３２４の設定に従って、音声の左右反転処理を行うか行わないかを設定し、内蔵マイク１２０については、Ｓ３２１、Ｓ３２２の設定に従って、音声の左右反転処理を行うか行わないかを設定する。
【００４６】
なお、本実施例では、撮像装置を例にとって説明したが、内蔵マイクを備え、外部マイクからの音声信号を取得することができる装置であればどのような装置でも良い。たとえば、携帯電話、スマートフォン、タブレット型情報端末、ノート型情報端末、コンピュータ等であってもよい。
【００４７】
（他の実施形態）
上述の実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００４８】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００４９】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。つまり、上述の実施形態を実現するためのプログラムファイルをクライアントコンピュータに提供するサーバ装置も本発明の一つである。
【００５０】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図１】
2015115669.tif 000003
【図２】
2015115669.tif 000004
【図３】
2015115669.tif 000005